(57)【要約】【課題】撮影機能と反射板とを備えた携帯端末装置において、反射板の利便性と傷付き防止並びに撮影の容易性の向上を図ること。【解決手段】２つの筐体２，３が重ね合わせ可能に連結され、前記各筐体２，３の内面が互いに対向する閉塞位置と、前記各筐体２，３の内面がそれぞれ外方へ露出する開放位置とを取り得るように位置変更可能に構成され、前記両筐体２，３のうちいずれか一方の筐体内に撮像装置を備えると共に、前記一方の筐体の内面側に前記撮像装置の撮像窓１３及び反射板１５を具備することを特徴とする。【選択図】    図１
2004354928.tif 000002
【特許請求の範囲】
【請求項１】
２つの筐体が重ね合わせ可能に連結され、前記各筐体の内面が互いに対向する閉塞位置と、前記各筐体の内面がそれぞれ外方へ露出する開放位置とを取り得るように位置変更可能に構成され、前記両筐体のうちいずれか一方の筐体内に撮像装置を備えると共に、前記一方の筐体の内面側に前記撮像装置の撮像窓及び反射板を具備することを特徴とする携帯端末装置。
【請求項２】
互いに重ね合わされる２つの筐体を、いずれか一の筐体の厚み方向に延在する軸部を中心として回動可能に連結し、前記各筐体の内面が互いに対向する閉塞位置と、前記各筐体の内面がそれぞれ外方へ露出する開放位置とを取り得るように位置変更可能に構成され、前記２つの筐体のうちいずれか一方の筐体内には撮像装置と表示部とを備えると共に、前記一方の筐体の外面側に前記表示部の表示面を備え、且つ前記一方の筐体の内面側に前記撮像装置の撮像窓及び反射板を具備することを特徴とする携帯端末装置。
【請求項３】
前記一方の筐体に、前記反射板を介して撮像可能範囲を表示させる表示手段を具備することを特徴とする請求項１又は請求項２に記載の携帯端末装置。
【請求項４】
前記一方の筐体に、前記反射板を介して複数の撮像可能範囲を表示させる表示手段を備えると共に、前記撮像装置に、撮像範囲を変更する撮像範囲切替手段を備え、且つ前記撮像範囲切替手段による撮像範囲設定結果に応じて当該撮像範囲に対応する表示手段を表示させるように制御する表示制御部を具備することを特徴とする請求項１又は請求項２に記載の携帯端末装置。
【請求項５】
前記反射板がハーフミラーであることを特徴とする請求項１乃至請求項４のいずれか一つに記載の携帯端末装置。
【発明の詳細な説明】
【０００１】
【発明の属する技術分野】
本発明は、携帯電話機やＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
近年、携帯電話機等の携帯端末装置においては、撮像機能を備えた各種の端末装置が提供されている。この種の携帯端末装置においては、撮影者自身を撮影する場合の利便性を考慮して、撮影前の自身の撮像画像を確認させることができるようにするために、携帯端末装置の一方の面に反射板を設けたものがある。
従来、この種の携帯端末装置としては、反射板を設けると共に、その反射板の前面にマークを施すことにより、撮影範囲を確認することができるようにしたものがある（例えば、特許文献１参照。）。
また、撮像部に保護カバーを取り付け、この保護カバーに小型のミラーを設けることにより、これを開閉時ミラーとして活用するものも提案されている（例えば、特許文献２参照。）。
【０００３】
【特許文献１】
特開平１０−２６８３８６号公報
【特許文献２】
特開２００２−３６５６９７号公報
【０００４】
【発明が解決しようとする課題】
しかしながら、上記特許文献１に記載された携帯端末装置においては、撮影範囲を確認することができるものの、不要なマークを含む全てのマークが常に表示されているため、反射板を覗くとそれら全てが常に使用者の目に触れることになり、時としてそれらマークが邪魔になる場合がある。
また、上記特許文献２に記載された携帯端末装置においては、ミラー部が小さいのが特徴であるが、その一方で、ミラー部が小さいことからその活用範囲は制限される。それに加えて、撮像部に保護カバーが取り付けられているので厚みが増すという問題がある。
【０００５】
本発明は、上述した事情に鑑みてなされたもので、撮影機能と反射板とを備えた携帯端末装置において、反射板の損傷の防止並びに反射板の利便性及び撮影の容易性の向上を図ることを目的とする。
【０００６】
【課題を解決するための手段】
即ち、本発明は上記課題を解決するために以下の手段を提供する。
請求項１に係る発明は、２つの筐体が重ね合わせ可能に連結され、前記各筐体の内面が互いに対向する閉塞位置と、前記各筐体の内面がそれぞれ外方へ露出する開放位置とを取り得るように位置変更可能に構成され、前記両筐体のうちいずれか一方の筐体内に撮像装置を設けると共に、前記一方の筐体の内面側に前記撮像装置の撮像窓及び反射板を設けて携帯端末装置を構成したことを特徴とする。
【０００７】
請求項２に係る発明は、互いに重ね合わされる２つの筐体を、いずれか一の筐体の厚み方向に延在する軸部を中心として回動可能に連結し、前記各筐体の内面が互いに対向する閉塞位置と、前記各筐体の内面がそれぞれ外方へ露出する開放位置とを取り得るように位置変更可能に構成され、前記２つの筐体のうちいずれか一方の筐体内には撮像装置と表示部とを設けると共に、前記一方の筐体の外面側には前記表示部の表示面を配置し、且つ前記一方の筐体の内面側には前記撮像装置の撮像窓及び反射板を配置して携帯端末装置を構成したことを特徴とする
【０００８】
請求項３に係る発明は、請求項１又は請求項２に記載の携帯端末装置において、前記一方の筐体に、前記反射板を介して撮像可能範囲を表示させる表示手段を設けたことを特徴とする。
請求項４に係る発明は、請求項１又は請求項２に記載の携帯端末装置において、前記一方の筐体に、前記反射板を介して複数の撮像可能範囲を表示させる表示手段を備えると共に、前記撮像装置に、撮像範囲を変更する撮像範囲切替手段を備え、且つ前記撮像範囲切替手段による撮像範囲設定結果に応じて当該撮像範囲に対応する表示手段を表示させるように制御する表示制御部を具備することを特徴とする。
請求項５に係る発明は、請求項１乃至請求項４のいずれか一つに記載の携帯端末装置において、前記反射板がハーフミラーであることを特徴とする。
【０００９】
【発明の実施の形態】
以下、本発明の一実施形態に係る携帯端末装置について、図面を参照して説明する。本実施形態では、携帯端末装置として、携帯電話機を例に挙げて説明する。
【００１０】
図１から図３において、符号１は、本発明の一実施形態としての携帯電話機を示したものである。
携帯電話機１は、第１の筐体２と第２の筐体３とが重ね合わされて配置され、これら第１、第２の筐体２，３が、各筐体２，３の厚み方向に延びる軸部５を中心として回動可能に連結されている。この携帯電話機１は、第１、第２の筐体２，３の内面６，９が互いに対向する閉塞位置と、前記各内面６，９がそれぞれ外方へ露出する開放位置との間で、各筐体２，３が位置変更可能とされている。各筐体２，３を閉塞位置に置いたときの第１の筐体２の外面（内面６と反対側の面）８側には、内蔵された基板１６に接続されたＬＣＤ等の表示部１２およびスピーカ部１７が設けられている。
【００１１】
また、上記第１の筐体２の内面６の長手方向の一端には、内蔵された撮像装置１１の撮像窓１３が外部に露出した状態で設けられるとともに、フラッシュ用ようとしての閃光窓１４が、第１の筐体２の幅方向に撮像窓１３と隣接して配置されている。上記撮像装置１１は、撮像範囲が望遠から広角に至る範囲まで連続的に変更できるズーム機能（撮像範囲切替手段）を備えている。
さらに、第２の筐体３の内面９には、テンキー等の各種操作キー１９及びマイクロフォン部１８が設けられている。
【００１２】
本実施形態に係る携帯電話機１は、内面６において、撮像窓１３および閃光窓１４と軸部５との間に、矩形のミラー１５（反射板）が設置されている。このミラー１５は、第１の筐体２の内面６から一定寸法、例えば０．１から０．５ｍｍ程度窪んだ位置に設けられている。また、ミラー１５は、ハーフミラーとして構成されており、その表面には、四隅に４つ、中央部近傍に４つの合計８つのマーク２７ａ，２７ｂ（表示手段）が施されている。そして、四隅の４つのマーク２７ａで囲まれる領域と、中央部近傍の４つのマーク２７ｂで囲まれる領域とにより、２段階の撮像可能範囲が示されるようになっている。また、これらマーク２７ａ，２７ｂは、後方から光を照射することによりその表示が明らかになり、光が照射されないときには、目立たないようになっている。
【００１３】
これらマーク２７ａ，２７ｂが施されたミラー１５の後方には、それぞれのマーク２７ａ，２７ｂに対向して、基板１６に接続されたＬＥＤ（表示手段）２５ａ，２５ｂが各別に配置されている。これにより、ＬＥＤ２５ａ，２５ｂを駆動し発光させると、その光がマーク２７ａ、２７ｂに照射され、マーク２７ａ，２７ｂの表示が際立つようになっている。したがって、所定のＬＥＤ２５ａ，２５ｂを駆動しこれを制御することによって、際立たせるマークを四隅のマーク２７ａにしたり、中央部近傍のマーク２７ｂにしたりと切り替えることができるようになっている。
【００１４】
さらに、本携帯電話機１は、撮像機能、電話機能その他各種機能が制御装置２０によって制御されるようになっている。この制御装置２０は、ズーム機能の撮影範囲に応じて、マークで区画される領域、すなわち駆動するＬＥＤ２５ａ，２５ｂを切り替える制御部（表示制御部）２１を備えている。この制御部２１によって、ミラー１５に写る像の領域を示すマーク２７ａ，２７ｂを、撮像装置１１のズーム機能の設定に応じて、制御するようになっている。さらに、上記の表示部１２の表示面１２ａにも制御部２１の制御のもと、マーク２８が表示されるようになっている。
【００１５】
次に、このように構成された本実施形態に係る携帯電話機１の作用について説明する。
第１、第２の筐体２，３が閉塞位置に置かれた状態から、例えば、着信信号を受信して通話を行う場合には、携帯電話機１の操作者が、第１、第２の筐体２，３を開放位置に配し、所定の操作キー１９を押圧すると共に、スピーカ部１７をユーザの耳元に、マイクロフォン部１８をユーザの口元にそれぞれ近づけることにより通話を開始する。
【００１６】
また、第１、第２の筐体２，３が閉塞位置に置かれた状態から、撮像装置１１を使用して遠方の景色や人物等を被写体として撮影する場合には、第１、第２の筐体２，３を開放位置に配する。そして、表示部１２および操作キー１９を自身側に向けると共に撮像窓１３を被写体に向けて、表示面１２ａに表示される撮像画像を視認しながら、所定の操作キー１９を押圧することにより撮像装置１１を起動させ、撮影を行う。この場合、マーク２８が表示面１２ａに表示されるため、適切な撮像範囲に被写体が置かれているかを確認することができる。また、ズーム機能を用いた場合、マーク２８の表示する表示領域とズーム機能による撮像範囲とを予め適切に設定しておくことによって、ズーム機能による撮像範囲に応じて、マーク２８の表示領域が変更されるため、常に被写体の適切な範囲の撮影を行うことができる。
【００１７】
さらに、操作者が自己を被写体として、例えば自分の顔を撮影する場合には、所定の操作キー１９を押圧することにより、制御部２１の制御のもと、四隅のマーク２７ａに対向する位置に配置されたＬＥＤ２５ａが駆動させられる。そして、そのＬＥＤ２５ａの発光により、マーク２７ａがミラー１５の後方から光が照射され、その表示がミラー１５を介して明らかになる。この状態で、第１の筐体２の内面６と、第２の筐体３の外面（内面９と反対側の面）７を自身側に向け、撮像窓１３を操作者の顔に対向させる位置に配する。そして、撮像範囲を確認するために、ミラー１５に自らの顔を写し、マーク２７ａに示された領域内に自分の顔が配されるように携帯電話機１を把持する角度を調整する。上記領域内に顔が配置された状態で、所定の操作キー１９を押圧し撮影を行う。
【００１８】
また、ズーム機能を駆動して撮像範囲が縮小させられた場合には、制御部２１の制御のもと、ＬＥＤ２５ａの駆動をオフにするとともに、中央部近傍のマーク２７ｂに対向する位置に配されたＬＥＤ２５ｂが適宜駆動させられ、マーク２７ｂの表示がミラー１５を介して明らかになる。この状態で、マーク２７ｂに示された領域内に顔等を写し、撮影する。これにより、撮像範囲に合わせて適切な撮影を容易に行うことができる。また、撮像範囲に合わせて際立たせるマーク２７ａ，２７ｂを切り替えることができるので、不要なマークにより、ミラー１５に映し出される像が見にくくなることを防止することができる。
【００１９】
また、本携帯電話機１を電話機等として使用しない場合であっても、第１の筐体２の内面６にミラー１５が配置され、そのミラー１５が通常の鏡として機能するので、両筐体２，３を開放位置に置いた状態で把持することにより、手鏡として使用することができる。そして、ミラー１５は、内面６から所定の寸法だけ埋め込まれて設けられていることから、両筐体２，３を相互に開く際の回動動作によって、ミラー１５の表面が傷つけられることもない。また、両筐体２，３を閉塞位置に置いた状態では、ミラー１５の表面が第２の筐体３の内面９によって覆われ、ミラー１５自体は内部に隠されることから、この状態でバッグ等に収納して携行しても外部から受ける衝撃からミラー１５を保護することができる。
【００２０】
なお、上記の実施形態においては、撮像範囲を切り替えることの可能なズーム機能として、連続的に変更できる場合について説明したが、この構成に代えて、望遠、広角を段階的に切り替えるように構成してもよい。
また、マーク２７ａ，２７ｂが合計８つになるとしたが、これに限ることはなく、適宜変更してもよい。
また、撮像範囲を２段階に切り替えるようにしたが、これに限ることはなく、３段階以上に切り替えたり、あるいは他の構成により、連続的に切り替えるようにしてもよく、この場合、切り替え可能な数に合わせてミラー１５に設けるマークとＬＥＤとの数を適宜設定するようにすればよい。
また、ミラー１５の全域をハーフミラー処理するのではなく、マーク部のみをハーフミラー処理するようにしてもよい。こうすることにより、ミラーの反射率が全反射に近くなり視認性が向上する。
さらに、レンズ部１３および閃光窓１４を第１の筐体２に設けるとしたが、これに限ることはなく、第２の筐体３の外面７に設けるようにしてもよい。
本実施形態では、回転型の携帯電話機１を例にとって説明したが、図３（ａ）の状態から第１の筐体２が第２の筐体３に対して上方にスライドするようなスライド型の携帯電話機１であってもよく、さらに、本発明は携帯電話機１に限定されるものではなく、ＰＤＡ等の他の携帯端末装置にも適用できることは言う迄もない。
【００２１】
【発明の効果】
以上のように、本発明によれば、操作者自らを被写体として撮影する際に、反射板に写される自己の像を目視しながら簡単かつ快適に撮影することができる。また、撮像装置を使用しない場合であっても、手鏡と同様に使用することができ、光の反射板の利便性を向上させることができる。さらに、反射板を使用しないときには２つの筐体を重ね合わせることにより反射板の傷付きを効果的に防ぐことができる。
【図面の簡単な説明】
【図１】本発明に係る携帯電話機の一実施形態を示す図であって、第１の筐体と第２の筐体とを相互に開いた状態を示す背面図である。
【図２】同実施形態に係る携帯電話機の主要部における縦断側面図である。
【図３】同実施形態に係る携帯電話機について、第１の筐体と第２の筐体との位置の変更状態を示す図であって、（ａ）は両者を相互に閉じた状態を示す正面図、（ｂ）および（ｃ）は両者を若干開いた状態を示す正面図、（ｄ）は両者を完全に開いた状態を示す正面図である。
【符号の説明】
１    携帯電話機（携帯端末装置）
２    第１の筐体（一方の筐体）
３    第２の筐体（他方の筐体）
５    軸部
６，９  内面
７，８  外面
１１  撮像装置
１２  表示部
１３  撮像窓
１５  ミラー（反射板）
２１  制御部（表示制御部）
２５ａ，２５ｂ  ＬＥＤ（表示手段）
２７ａ，２７ｂ  マーク（表示手段）
【図１】
2004354928.tif 000003
【図２】
2004354928.tif 000004
【図３】
2004354928.tif 000005